(57)【要約】      （修正有）【課題】発光ダイオードランプの照明装置を提供する。【解決手段】上部ケース１１、接続部１２、及びランプシェード１４で構成される。接続部１２は分解方式により上部ケース１１に接続されると共に少なくとも１つのラッチ部１２５が設けられ、ラッチ部１２５は接続部１２の頂面１２３に固定するよう枢設されると共に上部ケース１１に結合される。ランプシェード１４は接続部１２に直接的或いは間接的に接続される。【選択図】図１Ａ
0003189972.tif 000002
【実用新案登録請求の範囲】
【請求項１】
上部ケースと、
分解方式により前記上部ケースに接続されると共に少なくとも１つのラッチ部が設けられ、前記少なくとも１つのラッチ部は接続部の頂面に固定するよう枢設されると共に前記上部ケースに結合される、接続部と、
前記接続部に直接的或いは間接的に接続されるランプシェードを備えることを特徴とする、
照明装置。
【請求項２】
前記上部ケースは電極となる口金部を備えることを特徴とする、請求項１に記載の照明装置。
【請求項３】
前記接続部と前記ランプシェードとの間に連結される下部ケースを更に備えることを特徴とする、請求項１に記載の照明装置。
【請求項４】
前記下部ケースの底面に搭載される照明モジュールを更に備えることを特徴とする、請求項３に記載の照明装置。
【請求項５】
前記照明モジュールは発光ダイオードモジュールを備えることを特徴とする、請求項４に記載の照明装置。
【請求項６】
前記下部ケースは、前記下部ケースの底面及び頂面を貫通させ、少なくとも１本の電線を通過させる少なくとも１つの穿孔部を有することを特徴とする、請求項３に記載の照明装置。
【請求項７】
前記接続部は、前記ランプシェードに直接的或いは間接的に固定される係合部材を備えることを特徴とする、請求項１に記載の照明装置。
【請求項８】
前記接続部は、前記接続部の底面及び頂面を貫通させ、少なくとも１本の電線を通過させる少なくとも１つの穿孔部を有することを特徴とする、請求項１に記載の照明装置。
【請求項９】
前記接続部は、前記接続部の底面及び頂面を貫通させ、電線を通過させる少なくとも１つの補佐穿孔部を更に有することを特徴とする、請求項８に記載の照明装置。
【請求項１０】
前記接続部は、前記接続部の頂面から延伸されると共に前記上部ケースの対応する孔部に挿入される少なくとも１つの導電ピンを更に備えることを特徴とする、請求項１に記載の照明装置。
【請求項１１】
前記上部ケースに設けられると共に前記導電ピンにより電源を供給する電源回路を更に備えることを特徴とする、請求項１０に記載の照明装置。
【請求項１２】
前記ラッチ部は、前記ラッチ部が前記上部ケースの対応する留め金穴に挿入されると、前記上部ケースに接合されて固定される湾曲部を備えることを特徴とする、請求項１に記載の照明装置。
【請求項１３】
前記上部ケースは、前記少なくとも１つのラッチ部にそれぞれ対応させることにより、それが内へ圧力をかけて前記ラッチ部の湾曲部を押し開けると、前記ラッチ部は前記上部ケースから分離される少なくとも１つの解放棒を備えることを特徴とする、請求項１２に記載の照明装置。
【請求項１４】
前記上部ケースは、前記少なくとも１つのラッチ部にそれぞれ対応させる少なくとも１つの留め金穴を備えることを特徴とする、請求項１に記載の照明装置。
【請求項１５】
前記接続部は２つのラッチ部を備え、前記上部ケースは前記２つのラッチ部に対応させる２つの留め金穴を有し、前記２つのラッチ部は異なる長さにより誤操作防止機制を形成させ、これにより前記接続部は一方向のみに前記上部ケースに接続されることを特徴とする、請求項１に記載の照明装置。
【考案の詳細な説明】
【技術分野】
【０００１】
本考案は、発光ダイオードライトに関する。
【背景技術】
【０００２】
発光ダイオード（ＬＥＤ）は体積が小さく、反応時間が短く、消費電力も低く、信頼性も高く、大量生産可能である等多くの長所を有し、電球や蛍光灯等の従来の照明装置に取って代わっている。
【考案の概要】
【考案が解決しようとする課題】
【０００３】
前述した従来の発光ダイオードの耐用年数は数十万時間以上に達する。しかしながら、発光ダイオードの駆動回路中、リップル電流（ｒｉｐｐｌｅ）を低減させる電解（ｅｌｅｃｔｒｏｌｙｔｉｃ）コンデンサ等の部材の耐用年数は一万時間以下である。このため、発光ダイオードライトの信頼性及び耐用年数を低下させていた。
【０００４】
また、従来の発光ダイオードは堅固に装設され、発光ダイオードライトの電源回路を良好な状態に保つ。しかしユーザーは壊れたり古くなった発光ダイオードモジュールやランプシェード（ｌａｍｐ  ｃｏｖｅｒ）を交換できず、使用上の多様性がなく環境にも悪い。
【０００５】
そこで、本考案者は上記の欠点が改善可能と考え、鋭意検討を重ねた結果、合理的かつ効果的に課題を改善する本考案の提案に到った。
【０００６】
本考案は、上述のような従来の問題を解決するためになされたもので、上記課題解決のため、本考案は、照明装置を提供することを主目的とする。
【課題を解決するための手段】
【０００７】
上述した課題を解決し、目的を達成するために、本考案に係る照明装置は、
上部ケースと、
分解方式により前記上部ケースに接続されると共に少なくとも１つのラッチ部が設けられ、前記接続部の頂面に固定するよう枢設されると共に前記上部ケースに結合される接続部と、
前記接続部に直接的或いは間接的に接続されるランプシェードを備えることを特徴とする。
【考案の効果】
【０００８】
本考案によれば、ユーザーは部分的に部材を分解して修理、交換、及び更新できる利便性が得られる。
【図面の簡単な説明】
【０００９】
【図１Ａ】本考案の第１実施形態による照明装置を示す分解図である。
【図１Ｂ】図１Ａによる照明装置を示す組合せの傾斜図である。
【図２Ａ】図１Ａのラッチ部及び上部ケースを示す概略図である。
【図２Ｂ】図１Ａに示すラッチ部及び上部ケースを示す一部の概略図である。
【図２Ｃ】上部ケースと組合せられるランプシェード、下部ケース及び接続部を示す傾斜図である。
【図３Ａ】図１Ａの上部ケースの底面を示す底面図である。
【図３Ｂ】上部ケースと組合せられるランプシェード、下部ケース及び接続部を示す傾斜図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１１】
（第１実施形態）
以下、第１実施形態を図１Ａ〜図３Ｂに基づいて説明する。図１Ａは本考案の第１実施形態による照明装置１を示す分解図であり、図１Ｂは図１Ａによる照明装置１を示す組合せの傾斜図である。この好ましい実施形態では、照明装置１は発光ダイオードライト（ＬＥＤ  ｌａｍｐ）であるが、有機ＥＬ（ＯＬＥＤ）等の他の照明部材を用いてもよい。
【００１２】
本考案の実施形態に係る照明装置１は上部ケース１１、接続部１２、下部ケース１３、及びランプシェード１４を備える。本明細書での照明装置１の方位は一般的な使用状態に基き定義しており、上部ケース１１は上方を向きランプソケット（図示せず）に螺入させ、ランプシェード１４は下方を向く。
【００１３】
上述のランプシェード１４は光線を散光（ｄｉｆｆｕｓｅ）させ、保護或いは／及び防塵の役割を果たす。上部ケース１１は口金部（ｌａｍｐ  ｈｅａｄ）１１１を備え、上部ケース１１の側壁の一部を被覆させ、照明装置１の電極として用いられる。
【００１４】
ランプシェード１４は（暫定的ないしは永久に）下部ケース１３の底側に連結される。下部ケース１３の底面１３１には発光ダイオードモジュール等の照明モジュール（図示せず）が搭載されて固設される。下部ケース１３は、下部ケース１３の底面１３１及び頂面１３３を貫通させ、電線（図示せず）を通過させる少なくとも１つの穿孔部（ｌｉｎｅ  ｈｏｌｅ）１３２を有する。
例えば、下部ケース１３には２つの穿孔部１３２が設けられ、正電源線及び負電源線をそれぞれ通過させる。下部ケース１３の頂面１３３の上方には電子装置或いは部材を納置させる空間１３４を有する。下部ケース１３の材質は金属であり、発光ダイオードが発する熱エネルギーの放熱を助ける。下部ケース１３には放熱器等の放熱装置が配置され、発光ダイオードが発する熱エネルギーを照明装置１から排出させる。
【００１５】
この好ましい実施形態では、接続部１２は下部ケース１３と上部ケース１１との間に接続される。接続部１２の底側は（暫定的に或いは永久に）下部ケース１３の頂側に接続される。接続部１２の頂側は分解方式により上部ケース１１の底側に接続される。一般的には、接続部１２は係合部材（ｆａｓｔｅｎｅｒ）により下部ケース１３に固定される。接続部１２の底面１２１には電解コンデンサ等の電子装置或いは部材（図示せず）が搭載されて固設される。
接続部１２は、接続部１２の底面１２１及び頂面１２３を貫通させ、電線（図示せず）を通過させる少なくとも１つの穿孔部１２２を有する。接続部１２には、正電源線及び負電源線をそれぞれ通過させる２つの穿孔部１２２が設けられる。接続部１２は、接続部１２の底面１２１及び頂面１２３を貫通させ、正電源線及び負電源線以外の電線を通過させる少なくとも１つの補佐穿孔部（図示せず）を更に有する。他の実施形態では、ランプシェード１４は下部ケース１３を利用せずに接続部１２に直接に接続される。
【００１６】
本考案の実施形態の特徴によれば、接続部１２の頂面１２３からは導電ピン（ｃｏｎｄｕｃｔｉｖｅ  ｐｏｓｔ）１２４が延伸されると共に上部ケース１１の対応する穿孔部１１２に挿入され、上部ケース１１に設けられる電源回路（図示せず）は導電ピン１２４及び（穿孔部１２２及び穿孔部１３２を通過させる）電線により電源（下部ケース１３）を照明モジュールに供給する。
【００１７】
本考案の実施形態の特徴によれば、接続部１２の頂面１２３にはラッチ部（ｌａｔｃｈ）１２５或いはフック部（ｈｏｏｋ）が固定されて枢設される。図２Ａ及び図２Ｂは図１Ａのラッチ部１２５及び上部ケース１１を示す概略図であり、図２Ｃは上部ケース１１と組み合せられるランプシェード１４、下部ケース１３及び接続部１２を示す傾斜図である。
図２Ａに示すように、ラッチ部１２５が上部ケース１１の対応する留め金穴（ｃａｔｃｈ  ｈｏｌｅ）１１３に挿入され、ラッチ部１２５の湾曲部１２５１が上部ケース１１に接合されて固定される。なお、上部ケース１１には、ラッチ部１２５（図２Ａ参照）にそれぞれ対応させる少なくとも１つの解放棒（ｒｅｌｅａｓｅ  ｂａｒ）１１４が設けられる。解放棒１１４が内へ圧力をかけラッチ部１２５の湾曲部１２５１を押し開けると、（接続部１２の）ラッチ部１２５は上部ケース１１から分離される（図２Ｂ及び図２Ｃ参照）。
【００１８】
図３Ａは上部ケース１１の底面１１０を示す底面図である。また、図３Ｂは上部ケース１１と組み合せられるランプシェード１４、下部ケース１３及び接続部１２を示す傾斜図である。上部ケース１１は、（接続部１２の）２つのラッチ部１２５  にそれぞれ対応させる２つの留め金穴１１３を有する。
図３Ａ及び図３Ｂは上部ケース１１の２つの穿孔部１１２及び２つの補佐穿孔部１１５を示す概略図である。本実施形態のもう一つの特徴によれば、（２つの留め金穴１１３に対応させる）２つのラッチ部１２５は異なる長さにより誤操作防止（ｆｏｏｌｐｒｏｏｆ）機制が形成される。接続部１２は一方向にのみ上部ケース１１に接続される。
【００１９】
上述の本実施形態に係る照明装置１は様々な場面に応用が可能である。例えば、接続部１２の底面１２１に設置される電子装置或いは部材（電解コンデンサ）が壊れた場合、下部ケース１３を接続部１２から分離させ、修理や交換を行い、照明装置１の耐用年数を延ばす。
なお、例えば、ランプシェード１４或いは／及び下部ケース１３を接続部１２から分離させ、発光ダイオードモジュールやランプシェード１４を更新させ、使用上の多様性を高める。応用の大部分では、上部ケース１１の電源回路を重複して使用することで環境保護にも役立つ。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１        照明装置
１１      上部ケース
１１０    底面
１１１    口金部
１１２    穿孔部
１１３    留め金穴
１１４    解放棒
１１５    補佐穿孔部
１２      接続部
１２１    底面
１２２    穿孔部
１２３    頂面
１２４    導電ピン
１２５    ラッチ部
１２５１  湾曲部
１３      下部ケース
１３１    底面
１３２    穿孔部
１３３    頂面
１３４    空間
１４      ランプシェード
【図１Ａ】
0003189972.tif 000003
【図１Ｂ】
0003189972.tif 000004
【図２Ａ】
0003189972.tif 000005
【図２Ｂ】
0003189972.tif 000006
【図２Ｃ】
0003189972.tif 000007
【図３Ａ】
0003189972.tif 000008
【図３Ｂ】
0003189972.tif 000009